(57)【要約】【課題】照明しながら水槽の上部開口からも観賞魚等を歪み無く、かつ眩しく無く観賞できる水槽用照明装置を提供する。【解決手段】水槽１の上方に配置されるフラット形状の透明導光板４と、水槽１の外側部に配置される照明ユニット５とを備えている。透明導光板４の基部４ａと照明ユニット５の上部５ａとは略逆Ｌ字状に連結され、透明導光板４の先部には下向きの反射板９が設けられている。照明ユニット５の照明光は、透明導光板４を通過させて反射板９で反射させることで、水槽１を上方から照明する。照明ユニット５には、水槽１の側部１ｄに上方から引っ掛け可能なフック部１０が設けられている。【選択図】図３
0003195428.tif 000002
【実用新案登録請求の範囲】
【請求項１】
水槽の上方に配置されるフラット形状の透明導光板と、前記水槽の外側部に配置される照明ユニットとを備え、
前記透明導光板の基部と前記照明ユニットの上部とは略逆Ｌ字状に連結され、前記透明導光板の先部には下向きの反射板が設けられて、前記照明ユニットの照明光は、前記透明導光板を通過させて前記反射板で反射させることで、前記水槽を上方から照明する一方、
前記照明ユニットには、前記水槽の側部に上方から引っ掛け可能なフック部が設けられていることを特徴とする水槽用照明装置。
【請求項２】
前記フック部の上面で前記透明導光板の下面の一部を受け支えることを特徴とする請求項１に記載の水槽用照明装置。
【請求項３】
前記照明ユニットのフック部を前記水槽の側部に上方から引っ掛けた状態で、前記透明導光板の先部は僅かに下向きとなるように設定されていることを特徴とする請求項１または２に記載の水槽用照明装置。
【考案の詳細な説明】
【技術分野】
【０００１】
本考案は、観賞魚等を飼育する水槽用照明装置に関する。
【背景技術】
【０００２】
従来、水槽用照明装置としては、水槽の上部に、蛍光灯を取付けた反射傘を設置するものが一般的である。この照明装置では、水槽の上部開口が反射傘で遮られることから、水槽の上部開口から観賞魚等を観賞しづらいという問題がある。
【０００３】
ところで、水槽の上部に導光板を設置し、導光板の端面に取付けた発光ダイオード（ＬＥＤ）の照明光で、導光板を介して水槽を上方から照明するものがある（特許文献１参照）。
【０００４】
この照明装置では、水槽の上部開口を透明導光板で遮るだけであるから、照明しながら水槽の上部開口から観賞魚等を観賞できると考えられなくはない。
【先行技術文献】
【特許文献】
【０００５】
【特許文献１】特開２０１０−２４６４８６号公報
【考案の概要】
【考案が解決しようとする課題】
【０００６】
しかしながら、後者の背景技術（特許文献１）では、出射光に指向性を付与するために、導光板の背面に反射パターン形成領域と反射パターン非形成領域とをストライブ状に形成し、背面に対向する出光面はカマボコ状レンズ形状に形成している。
【０００７】
したがって、導光板が透明であっても観賞魚等が歪んで見えることから、照明しながら水槽の上部開口から観賞魚等を観賞できるとは到底言えるものではない。しかも、導光板全体が眩しく光ることから、この点でも、水槽の上部開口から観賞魚等を観賞できるとは到底言えるものではない。
【０００８】
本考案は、前記問題を解消するためになされたもので、照明しながら水槽の上部開口からも観賞魚等を歪み無く、かつ眩しく無く観賞できる水槽用照明装置を提供することを目的とするものである。
【課題を解決するための手段】
【０００９】
前記課題を解決するために、本考案の水槽用照明装置は、水槽の上方に配置されるフラット形状の透明導光板と、前記水槽の外側部に配置される照明ユニットとを備えている。前記透明導光板の基部と前記照明ユニットの上部とは略逆Ｌ字状に連結されている。前記透明導光板の先部には下向きの反射板が設けられて、前記照明ユニットの照明光は、前記透明導光板を通過させて前記反射板で反射させることで、前記水槽を上方から照明する。一方、前記照明ユニットには、前記水槽の側部に上方から引っ掛け可能なフック部が設けられている。
【００１０】
本考案によれば、透明導光板と照明ユニットとは略逆Ｌ字状に連結されているから、照明ユニットのフック部を水槽の側部に上方から引っ掛ける。これだけのことで、水槽の上方に透明導光板が配置され、水槽の外側部に照明ユニットが配置されるようになる。
【００１１】
そして、照明ユニットの照明光は、透明導光板を通過させて反射板で反射させることで、水槽を上方から照明するようになる。
【００１２】
ここで、透明導光板はフラット形状であるから、照明しながら水槽の上部開口からも観賞魚等を歪み無く観賞できるようになる。そして、照明光は、反射板に至るまでの間は、透明導光板の内部を単に通過するだけであるから、照明しながら水槽の上部開口から観賞魚等を眩しく無く観賞できるようになる。
【００１３】
また、照明ユニットのフック部を水槽の側部に上方から引っ掛けるだけで、水槽の上方に透明導光板を正確にセットすることができる。逆に、フック部を水槽の側部から上方に引き抜くだけで、水槽から照明装置（透明導光板と照明ユニット）を簡単に取り外すことができる。
【００１４】
前記フック部の上面で前記透明導光板の下面の一部を受け支える構成とすることができる。
【００１５】
この構成によれば、照明ユニットで透明導光板の基部と照明ユニットの上部とを単に連結する片持ち支持形式よりも、照明ユニットで透明導光板を強固に支持することができる。
【００１６】
前記照明ユニットのフック部を前記水槽の側部に上方から引っ掛けた状態で、前記透明導光板の先部は僅かに下向きとなるように設定されている構成とすることができる。
【００１７】
この構成によれば、水槽内で蒸発して透明導光板の下面等に付着した水滴は、先部の方向に伝い流れて水槽内に自然に滴下し、照明ユニット側に伝い流れなくなる。
【考案の効果】
【００１８】
本考案によれば、照明しながら水槽の上部開口からも観賞魚等を歪み無く、かつ眩しく無く観賞できるようになる。
【図面の簡単な説明】
【００１９】
【図１】本考案に係る水槽用照明装置を取付けた水槽の斜視図である。
【図２】図１の水槽用照明装置であり、（ａ）は平面図、（ｂ）は側面図である。
【図３】図１の水槽用照明装置であり、（ａ）は照明光の方向を示す平面断面図、（ｂ）は照明光の方向を示す側面断面図である。
【考案を実施するための形態】
【００２０】
以下、本考案を実施するための形態について、図面を参照しながら詳細に説明する。図１は本考案に係る水槽用照明装置３を取付けた水槽１の斜視図である。
【００２１】
水槽１は、既存の透明なガラス製または合成樹脂製であり、底部（具体的に図示せず。）と前部１ｂと背部１ｃと両側部１ｄ，１ｅとで、上部開口１ｆを有する四角形状に構成されている。水槽１は四角形状である必要は無く、一方の側部１ｄ（または１ｅ）と上部開口１ｆとが有れば、その他の多角形状や円形状、楕円状等であっても差し支えはない。
【００２２】
図２は水槽用照明装置３であり、（ａ）は平面図、（ｂ）は側面図である。図３は水槽用照明装置３であり、（ａ）は照明光の方向を示す平面断面図、（ｂ）は照明光の方向を示す側面断面図である。
【００２３】
水槽用照明装置３は、水槽１の上方に配置されるフラット形状の透明導光板４と、水槽１の外側部に配置される照明ユニット５とを備えている。
【００２４】
透明導光板４は、例えばアクリル樹脂製であり、水槽１の長さ方向（両側部１ｄ，１ｅの方向）に延在する長方形状に形成されている。透明導光板４は、略均等な厚みに形成されて、水槽１の上方に配置しても、水槽１の上部開口１ｆから観賞魚等を歪み無く観賞することができる。なお、透明導光板４は、これを透視して観賞魚等を観賞できれば、薄い着色が施されていてもよい。
【００２５】
照明ユニット５は、例えば着色（黒色等の遮光性）アクリル板であり、水槽１の高さ方向（上部開口１ｆと底部の方向）に延在する偏平な長方形の箱状に形成されている。照明ユニット５と透明導光板４とは、略同幅に設定されている。
【００２６】
照明ユニット５には、水槽１の一方の側部１ｄ（１ｅ）に上方から引っ掛け可能な略逆Ｕ字状のフック部１０が一体的に設けられている。
【００２７】
照明ユニット５の上部５ａには、幅方向に複数個（本例では６個）の照明用ランプ（ＬＥＤ等）６が照明ユニット５内の配線基板７の回路に配列されている。
【００２８】
照明ユニット５の底部には、配線基板７の回路に電気を供給するために、外部のＡＣ電源に接続する差し込みプラグ付き電線８が取付けられている。
【００２９】
照明ユニット５の上面（側面等でも可）には、照明用ランプ６のオン・オフ用のタッチセンサー（スイッチ）１１が設けられている。
【００３０】
透明導光板４の基部４ａと照明ユニット５の上部５ａとは略逆Ｌ字状に連結されるようになる。すなわち、透明導光板４の基部４ａには、照明ユニット５の上部５ａの開口５ｂに差し込み可能な差し込み部４ｂが形成されている。そして、透明導光板４の差し込み部４ｂを照明ユニット５の開口５ｂに差し込んで接着等することにより、透明導光板４と照明ユニット５とが水密に連結されるようになる。なお、透明導光板４と照明ユニット５とを分離可能に連結することも可能である。
【００３１】
フック部１０の張り出し上面１０ａはフラットに形成されて、照明ユニット５に連結された透明導光板４の下面の一部を受け支えるようになっている。
【００３２】
また、照明ユニット５のフック部１０を水槽１の側部１ｄ（１ｅ）に上方から引っ掛けた状態で、透明導光板４の先部４ｃは僅かに下向きとなるように設定されている。
【００３３】
透明導光板４の先部４ｃは円弧状に形成され、この先部４ｃの上面に、例えばステンレス製の反射板９が貼り付けられ、この反射板９に内面には、高反射率の例えばアルミニュームが蒸着されている。そして、図３（ａ）（ｂ）に一点鎖線の矢印で示すように、照明用ランプ６の照明光は、透明導光板４を通過させて反射板９で反射させることで、水槽１を上方から照明するようになる。この先部４ｃの反射板９は、水槽１の他方の側部１ｅ（１ｄ）側に位置するものであるから、観賞魚等の観賞に支障は少ない。なお、図３（ｂ）では、反射板９を明確にするために厚く描いているが、実際は０．０５ｍｍ程度の薄いものである。
【００３４】
前記のような水槽用照明装置３であれば、透明導光板４と照明ユニット５とは略逆Ｌ字状に連結されているから、照明ユニット５のフック部１０を水槽１の側部１ｄ（１ｅ）に上方から引っ掛ける。これだけのことで、水槽１の上方に透明導光板４が配置され、水槽１の外側部に照明ユニット５が配置されるようになる。
【００３５】
そして、照明ユニット５の照明光は、透明導光板４を通過させて反射板９で反射させることで、水槽１を上方から照明するようになる。
【００３６】
ここで、透明導光板４はフラット形状であるから、照明しながら水槽１の上部開口１ｆからも観賞魚等を歪み無く観賞できるようになる。そして、照明光は、反射板９に至るまでの間は、透明導光板４の内部を単に通過するだけであるから、照明しながら水槽１の上部開口１ｆから観賞魚等を眩しく無く観賞できるようになる。
【００３７】
また、照明ユニット５のフック部１０を水槽１の側部１ｄ（１ｅ）に上方から引っ掛けるだけで、水槽１の上方に透明導光板４を正確にセットすることができる。逆に、フック部１０を水槽１の側部１ｄ（１ｅ）から上方に引き抜くだけで、水槽１から照明装置（透明導光板４と照明ユニット５）を簡単に取り外すことができる。
【００３８】
さらに、フック部１０の張り出し上面１０ａで透明導光板４の下面の一部を受け支える構成である。したがって、透明導光板４の基部４ａと照明ユニット５の上部５ａとを単に連結する片持ち支持形式よりも、照明ユニット５で透明導光板４を強固に支持することができる。
【００３９】
また、照明ユニット５のフック部１０を水槽１の側部１ｄ（１ｅ）に上方から引っ掛けた状態で、透明導光板４の先部４ｃは僅かに下向きとなるように設定している。したがって、水槽１内で蒸発して透明導光板４の下面等に付着した水滴は、先部４ｃの方向に伝い流れて水槽１内に自然に滴下し、照明ユニット５側に伝い流れなくなる。
【符号の説明】
【００４０】
１    水槽
１ｄ，１ｅ  側部
１ｆ  上部開口
３    水槽用照明装置
４    透明導光板
４ａ  基部
４ｃ  先部
５    照明ユニット
５ａ  上部
６    照明用ランプ
１０  フック部
【図１】
0003195428.tif 000003
【図２】
0003195428.tif 000004
【図３】
0003195428.tif 000005